(57)【要約】【課題】  横方向や縦方向に連続する枠組を簡便に作成することができる姿図作成装置、姿図作成プログラム、及び姿図作成装置の制御方法を提供する。【解決手段】  姿図作成装置１は、建具用姿図の連枠や段枠を作成するための装置である。ホイール付きマウス４のホイール９を押下することで、モード検知部１６は、連枠生成モードや段枠生成モードに設定されたことを検知する。また、ホイール９を回転させることで、増減指示情報検知部１８は、枠数等の数値情報を増減させることを指示する増減指示情報を検知する。枠組生成部１５は、連枠生成モードにおいては、ホイール９が回転されることにより、増減指示情報検知部１８から増減指示情報を受け、基本枠を横方向に増減させる。また、枠組生成部１５は、段枠生成モードにおいては、増減指示情報検知部１８から増減指示情報を受け、基本枠を縦方向に増減させる。【選択図】  図２
2005202735.tif 000002
【特許請求の範囲】
【請求項１】
建具用姿図における枠を作成する姿図作成装置であって、
前記枠が連なる枠組を生成するための枠組生成モードに設定されたことを検知するモード検知手段と、
前記枠組に関する数値情報を増減させることを指示する増減指示情報を検知する増減指示情報検知手段と、
前記モード検知手段によって前記枠組生成モードに設定されたことが検知されると、前記増減指示情報検知手段によって検知された前記増減指示情報に基づいて、所定の基本枠を横方向および／または縦方向に増減させて前記枠組を生成する枠組生成手段とを備えることを特徴とする姿図作成装置。
【請求項２】
前記枠組生成手段によって生成された前記枠組を構成する特定の枠が指定されたことを検知する枠指定検知手段をさらに備え、
前記枠組生成手段は、前記枠組のうち前記枠指定検知手段によって検知された前記枠を基本枠とし、当該基本枠を横方向および／または縦方向に増減させて前記枠組を生成することを特徴とする請求項１に記載の姿図作成装置。
【請求項３】
前記枠組生成手段によって生成された前記枠組を構成する特定の枠が指定されたことを検知する枠指定検知手段をさらに備え、
前記モード検知手段は、枠のサイズに関する数値情報を変更するための枠サイズ変更モードに設定されたことを検知し、
前記枠組生成手段は、前記モード検知手段によって前記枠サイズ変更モードに設定されたことが検知されると、前記枠指定検知手段によって指定された枠のサイズを、前記増減指示情報検知手段によって検知された前記増減指示情報に基づいて増減させることを特徴とする請求項１に記載の姿図作成装置。
【請求項４】
前記枠組生成手段によって生成された前記枠組を構成する特定の枠が指定されたことを検知する枠指定検知手段をさらに備え、
前記モード検知手段は、前記枠の下辺の位置を設定するための下辺位置設定モードに設定されたことを検知し、
前記枠組生成手段は、前記モード検知手段によって前記下辺位置設定モードに設定されたことが検知されると、前記枠指定検知手段によって指定された前記枠の下辺の位置を、前記増減指示情報検知手段によって検知された前記増減指示情報に基づいて増減させることを特徴とする請求項１に記載の姿図作成装置。
【請求項５】
コンピュータを、
建具用姿図における枠が連なる枠組を生成するための枠組生成モードに設定されたことを検知するモード検知手段と、
前記枠組に関する数値情報を増減させることを指示する増減指示情報を検知する増減指示情報検知手段と、
前記モード検知手段によって前記枠組生成モードに設定されたことが検知されると、前記増減指示情報検知手段によって検知された前記増減指示情報に基づいて、所定の基本枠を横方向および／または縦方向に増減させて前記枠組を生成する枠組生成手段として機能させるための姿図作成プログラム。
【請求項６】
建具用姿図における枠を作成する姿図作成装置を制御する方法であって、
前記姿図作成装置が、
前記枠が連なる枠組を生成するための枠組生成モードに設定されたことを検知するモード検知ステップと、
前記枠組に関する数値情報を増減させることを指示する増減指示情報を検知する増減指示情報検知ステップと、
前記モード検知ステップにおいて前記枠組生成モードに設定されたことが検知されると、前記増減指示情報検知ステップにおいて検知された前記増減指示情報に基づいて、所定の基本枠を横方向および／または縦方向に増減させて前記枠組を生成する枠組生成ステップとを実行することを特徴とする姿図作成装置を制御する方法。
【発明の詳細な説明】
【技術分野】
【０００１】
本発明は、建具用姿図における枠を作成する姿図作成装置、姿図作成プログラム、及び姿図作成装置を制御する方法に関する。
【背景技術】
【０００２】
近年、コンビニエンスストアやレストラン、アミューズメント施設、ショールームを備えた展示施設等、多くの窓を用いた施設が建築されている。このような施設は、外から施設内が見やすいように、あるいは施設内から外の景観を見やすくするように、またはデザイン性を追求して、建具が設計されることが多い。
【０００３】
また、従来、ビル設計用にサッシの型図データを部分毎に分けてコンピュータに格納させ、サッシの用途に応じて各部分の型図データを組み合わせてサッシの図面データを作成する装置は知られている（例えば、特許文献１）。
【特許文献１】特開２００２−２８８２６８号公報
【発明の開示】
【発明が解決しようとする課題】
【０００４】
しかしながら、上述した従来の装置では、姿図上に横方向や縦方向に連続する枠組を作成するには、枠毎に別個に作成していかなくてはならず、操作上煩雑であった。
【０００５】
そこで、本発明は、横方向や縦方向に連続する枠組を簡便に作成することができる姿図作成装置、姿図作成プログラム、及び姿図作成装置を制御する方法を提供することを目的とする。
【課題を解決するための手段】
【０００６】
本発明に係る姿図作成装置は、建具用姿図における枠を作成する姿図作成装置であって、枠が連なる枠組を生成するための枠組生成モードに設定されたことを検知するモード検知手段と、枠組に関する数値情報を増減させることを指示する増減指示情報を検知する増減指示情報検知手段と、モード検知手段によって枠組生成モードに設定されたことが検知されると、増減指示情報検知手段によって検知された増減指示情報に基づいて、所定の基本枠を横方向および／または縦方向に増減させて枠組を生成する枠組生成手段とを備えることを特徴とする。
【０００７】
この姿図作成装置によれば、枠組生成モードに設定されると、枠組生成手段は、増減指示情報検知手段によって検知された増減指示情報に基づいて、基本枠を横方向および／または縦方向に枠を増減させて枠組を生成する。したがって、増減指示情報検知手段に増減指示情報を検知させて、基本枠を横方向および／または縦方向に増減させることができる。このことにより、横方向や縦方向に連続する枠組を簡便に作成することができる。
【０００８】
また、この姿図作成装置において、枠組生成手段によって生成された枠組を構成する特定の枠が指定されたことを検知する枠指定検知手段をさらに備え、枠組生成手段は、枠組のうち枠指定検知手段によって検知された枠を基本枠とし、その基本枠を横方向および／または縦方向に増減させて枠組を生成するとよい。このような姿図作成装置によれば、枠指定検知手段により特定の枠を検知させ、この検知された枠を基本枠とし、増減指示情報検知手段に増減指示情報を検知させて、その基本枠を横方向および／または縦方向に増減させることができる。このことにより、基本枠を指定したうえで横方向や縦方向に連続する枠組を簡便に作成することができる。
【０００９】
また、姿図作成装置は、枠組生成手段によって生成された枠組を構成する特定の枠が指定されたことを検知する枠指定検知手段をさらに備え、モード検知手段は、枠のサイズに関する数値情報を変更するための枠サイズ変更モードに設定されたことを検知し、枠組生成手段は、モード検知手段によって枠サイズ変更モードに設定されたことが検知されると、枠指定検知手段によって指定された枠のサイズを、増減指示情報検知手段によって検知された増減指示情報に基づいて増減させるようにすると好適である。このように姿図作成装置を構成させることにより、枠サイズ変更モードに設定されると、増減指示情報検知手段によって増減指示情報を検知させることで、枠指定検知手段によって指定された枠のサイズを、枠組生成手段によって増減させることができる。したがって、枠サイズの増減を簡便に行うことができる。
【００１０】
また、姿図作成装置は、枠組生成手段によって生成された枠組を構成する特定の枠が指定されたことを検知する枠指定検知手段をさらに備え、モード検知手段は、枠の下辺の位置を設定するための下辺位置設定モードに設定されたことを検知し、枠組生成手段は、モード検知手段によって下辺位置設定モードに設定されたことが検知されると、枠指定検知手段によって指定された枠の下辺位置の高さを、増減指示情報検知手段によって検知された増減指示情報に基づいて増減させるようにするとよい。このように姿図作成装置を構成させることにより、下辺位置設定モードに設定されると、増減指示情報検知手段によって増減指示情報を検知させることで、枠指定検知手段によって指定された枠の下辺の位置を、枠組生成手段によって上下させることができる。したがって、枠の下辺位置の上下移動を簡便に行うことができる。
【００１１】
また、本発明に係る姿図作成プログラムは、コンピュータを、建具用姿図における枠が連なる枠組を生成するための枠組生成モードに設定されたことを検知するモード検知手段と、枠組に関する数値情報を増減させることを指示する増減指示情報を検知する増減指示情報検知手段と、モード検知手段によって枠組生成モードに設定されたことが検知されると、増減指示情報検知手段によって検知された増減指示情報に基づいて、所定の基本枠を横方向および／または縦方向に増減させて枠組を生成する枠組生成手段として機能させることを特徴とする。
【００１２】
また、本発明に係る姿図作成装置を制御する方法は、建具用姿図における枠を作成する姿図作成装置を制御する方法であって、姿図作成装置が、枠が連なる枠組を生成するための枠組生成モードに設定されたことを検知するモード検知ステップと、枠組に関する数値情報を増減させることを指示する増減指示情報を検知する増減指示情報検知ステップと、モード検知ステップにおいて枠組生成モードに設定されたことが検知されると、増減指示情報検知ステップにおいて検知された増減指示情報に基づいて、所定の基本枠を横方向および／または縦方向に増減させて枠組を生成する枠組生成ステップとを実行することを特徴とする。
【００１３】
これら姿図作成プログラム及び姿図作成装置を制御する方法によれば、姿図作成装置に対して、枠組生成モードに設定されると、増減指示情報に基づいて、基本枠を横方向および／または縦方向に枠を増減させて枠組を生成させる。したがって、増減指示情報を検知させて、基本枠を横方向および／または縦方向に増減させることにより、横方向や縦方向に連続する枠組を簡便に作成することができる。
【発明の効果】
【００１４】
本発明によれば、姿図上において、横方向や縦方向に連続する枠組を簡便に作成することができる。
【発明を実施するための最良の形態】
【００１５】
以下、本発明に係る姿図作成装置及び姿図作成プログラムの好適な一実施形態を図面に基づいて説明する。なお、各図において、同一要素には同一符号を付して重複する説明は省略する。
【００１６】
先ず、図１は、実施形態における姿図作成装置１の構成図である。図１に示すように、姿図作成装置１は、一般のコンピュータに姿図作成プログラムがインストールされて、そのプログラムを実行する装置であり、コンピュータ本体２と、入力手段であるキーボード３及びホイール付きマウス４と、表示部６から構成される。コンピュータ本体２は、物理的には、ＣＰＵ（中央処理装置）、メモリ等の記憶装置、ハードディスクといった格納装置等から構成されている。また、ホイール付きマウス４は、左右両側にマウスボタン７，８を有すると共に、マウスボタン７，８の間にホイール９が設けられている。このホイール付きマウス４は、ホイール９の押下及び回転を検知してコンピュータ本体２に信号を出力するタイプのマウスである。ホイール９の回転は、所定角度の回転角度を単位とし、露出されたホイール部分が前方に移動されて回転されたか、後方に移動されて回転されたかが区別されて検知される。
【００１７】
図２は、図１に示す姿図作成装置１の機能ブロック構成図である。図２に示すように、コンピュータ本体２は、処理部１１、及びテンプレートＤＢ１２を備える。処理部１１は、枠組生成部１５、モード検知部１６、枠指定検知部１７、増減指示情報検知部１８、及び建具設定部１９を有する。また、テンプレートＤＢ１２には、枠に当てはめる部材、例えば、ドアや窓等のテンプレートが格納されている。
【００１８】
モード検知部１６は、マウス４によって出力された信号からホイール９の押下を検知し、ホイール９の押下を検知する毎に、（１）窓やドア等の建具用の枠が横方向に連なるように枠組を生成する連枠生成モード（枠組生成モード）、（２）当該枠が縦方向に連なるように枠組を生成する段枠生成モード（枠組生成モード）、（３）指定した枠の幅（図３及び図９の「Ｗ」寸法）を変更するための枠幅変更モード（枠サイズ変更モード）、（４）指定した枠の高さ（図３及び図９の「Ｈ」寸法）を変更するための枠高さ変更モード（枠サイズ変更モード）、（５）指定した枠の下辺の位置（図１２の「ＦＬ」高さ）を設定するための下辺位置設定モードの順にモードを切替え、そのモードを枠組生成部１５に出力する。なお、枠の下辺の位置は床面からの高さに対応する。
【００１９】
ここでいう枠は、窓やドア等の建具をあてはめるための姿図作成上の枠である。建具には、屋内と屋外との仕切りや屋内の部屋同士の仕切りに用いられ、開閉可能なドアやサッシ、シャッター或いは窓等が含まれる。ドアは開き戸であっても、引き戸であってもよく、窓は、開閉可能でなくともよい。また、枠組の作成のうえでは、「連枠」と後述する画面上の「連窓」とは同義であり、「段枠」と画面上の「段窓」とは同義である。
【００２０】
枠指定検知部１７は、枠組生成部１５によって生成され表示部６に表示された枠組の中から、マウス４から出力された信号に基づいて、指定された枠を検知する。すなわち、マウス４が操作されることにより、表示部６に表示された枠組の中の特定の枠内にカーソルが位置付けられて、左マウスボタンがクリックされると、枠指定検知部１７は、マウス４から出力された信号に基づいて、指定された枠を検知し、指定された枠を指示する信号を枠組生成部１５に出力する。
【００２１】
増減指示情報検知部１８は、マウス４によって出力された信号から、ホイール９の回転を、露出されたホイール部分が前方に移動されて回転されたか、後方に移動されて回転されたかを区別して検知する。そして、増減指示情報検知部１８は、露出されたホイール部分が前方に移動されて回転されたことを検知したときは増加指示信号を枠組生成部１５に出力し、後方に移動されて回転されたことを検知したときは減少指示信号を枠組生成部１５に出力する。この増減指示情報検知部１８による増加指示信号及び減少指示信号の出力は、ホイール９が回転角度単位の角度だけ回転される都度行われる。
【００２２】
枠組生成部１５は、モード検知部１６、枠指定検知部１７、及び増減指示情報検知部１８の出力に基づいて枠組を生成する。すなわち、枠組生成部１５は、最初に、１個の基本枠４１を表示部６に表示させる。この基本枠４１の幅の寸法、高さの寸法、下辺の位置（床面からの高さ）の寸法として、デフォルト値が設定されている。例えば、幅のデフォルト値は１０００ｍｍ、高さのデフォルト値は２０００ｍｍ、下辺位置の高さのデフォルト値は０ｍｍである。枠組生成部１５は、これらの寸法も基本枠４１に対して寸法補助線を入れて表示部６に表示させる。勿論、デフォルト値はこれらの値に限らなくとも良い。
【００２３】
そして、モード検知部１６によって出力されたモードが連枠生成モードである場合に、増減指示情報検知部１８から増加指示信号が出力される都度、枠組生成部１５は、基本枠４１に対して同じサイズの枠を横方向に１個ずつ増加させて、生成した枠組を表示部６に表示させる。増減指示情報検知部１８から減少指示信号が出力された場合は、減少指示信号が出力される都度、枠組生成部１５は、横方向に枠を１個ずつ減少させて、生成した枠組を表示部６に表示させる。なお、枠組生成部１５は、新たに生成した各枠に対しても、その枠のサイズが分かるように、寸法補助線を入れて寸法を表示させる。
【００２４】
また、モード検知部１６によって出力されたモードが段枠生成モードである場合、増減指示情報検知部１８から増加指示信号が出力される都度、枠組生成部１５は、基本枠４１に対して高さ５００ｍｍの枠を縦方向に１個ずつ増加させて、生成した枠組を表示部６に表示させる。増減指示情報検知部１８から減少指示信号が出力された場合は、減少指示信号が出力される都度、枠組生成部１５は、縦方向に枠を１個ずつ減少させて、生成した枠組を表示部６に表示させる。枠組生成部１５は、新たに生成した各枠に対しても、その枠のサイズが分かるように、寸法補助線を入れて寸法を表示部６に表示させる。
【００２５】
ここで、枠が横方向に複数個生成されている状態で、段枠生成モードに設定されている場合、増減指示情報検知部１８から増加指示信号が出力される都度、枠組生成部１５は、横方向に生成された枠の個数と同数の枠を、縦方向に一段ずつ増加させて、生成した枠組を表示部６に表示させる。増減指示情報検知部１８から減少指示信号が出力された場合には、減少指示信号が出力される都度、枠組生成部１５は、横方向に複数個の枠が生成された枠組から、枠を一段ずつ減少させて、生成した枠組を表示部６に表示させる。
【００２６】
同様に、枠が縦方向に複数個生成されている状態で、連枠生成モードに設定されている場合、増減指示情報検知部１８から増加指示信号が出力される都度、枠組生成部１５は、縦方向に生成された枠の個数と同数の枠を、横方向に一列ずつ増加させて、生成した枠組を表示部６に表示させる。増減指示情報検知部１８から減少指示信号が出力された場合には、減少指示信号が出力される都度、枠組生成部１５は、縦方向に複数個の枠が生成された枠組から、枠を一列ずつ減少させて、生成した枠組を表示部６に表示させる。
【００２７】
また、モード検知部１６によって出力されたモードが枠幅変更モードである場合、枠組生成部１５は、枠指定検知部１７によって、画面上に表示されている特定の枠が指定されたことを示す信号が特に出力されずに、増減指示情報検知部１８から増加指示信号が出力されると、増加指示信号が出力される都度、画面上に表示されているすべての枠の幅を変更対象として、それらの枠の幅を現在の幅から所定長さずつ増加させる。枠組生成部１５は、枠指定検知部１７によって、画面上に表示されている特定の枠が指定されたことを示す信号が出力され、増減指示情報検知部１８から増加指示信号が出力されたときには、増加指示信号が出力される都度、指定された枠の幅を現在の幅から所定長さずつ増加させる。
【００２８】
ここで、所定長さは、例えば、キーボードの「Ｃｔｒｌ」キーが押下されて増加指示信号が出力された場合は５０ｍｍであり、キーボードの「Ａｌｔ」キーが押下されて増加指示信号が出力された場合は５００ｍｍであり、「Ｃｔｒｌ」キーも「Ａｌｔ」キーも押下されずに増加指示信号が出力された場合は１００ｍｍである。つまり、枠組生成部１５は、増加指示信号を受信する際、キーボードからの出力を受けて所定長さを変更している。勿論、この所定長さは上記の値に限らず、適当な値に設定してよい。
【００２９】
同様に、増減指示情報検知部１８から減少指示信号が出力されたときも、枠組生成部１５は、減少指示信号が出力される都度、指定された枠の幅を所定長さずつ減少させる。なお、減少させる所定長さは、増加させる場合と同様に、キーボードからの出力を受けて変更されている。
【００３０】
なお、複数の段にわたって枠が生成されているときに枠幅を増減する場合、枠組生成部１５は、指定された枠と同じ列にある枠の幅も併せて増減させる。また、枠組生成部１５は、変更された幅にあわせて寸法を変更して表示部６に表示させる。
【００３１】
また、モード検知部１６によって出力されたモードが枠高さ変更モードである場合、枠組生成部１５は、枠指定検知部１７によって、画面上に表示されている特定の枠が指定されたことを示す信号が特に出力されずに、増減指示情報検知部１８から増加指示信号が出力されると、増加指示信号が出力される都度、画面上に表示されているすべての枠の高さを変更対象として、それらの枠の高さを現在の高さから所定長さずつ増加させる。枠組生成部１５は、枠指定検知部１７によって、画面上に表示されている特定の枠が指定されたことを示す信号が出力され、増減指示情報検知部１８から増加指示信号が出力されたときには、増加指示信号が出力される都度、指定された枠の高さを現在の高さから所定長さずつ増加させる。
【００３２】
この所定長さも、キーボードの「Ｃｔｒｌ」キーが押下されて増加指示信号が出力された場合は５０ｍｍであり、キーボードの「Ａｌｔ」キーが押下されて増加指示信号が出力された場合は５００ｍｍであり、「Ｃｔｒｌ」キーも「Ａｌｔ」キーも押下されずに増加指示信号が出力された場合は１００ｍｍである。同様に、増減指示情報検知部１８から減少指示信号が出力されたときも、枠組生成部１５は、減少指示信号が出力される都度、指定された枠の幅を所定長さずつ減少させる。勿論、この所定長さは、適当な値に設定してよい。
【００３３】
なお、複数の列にわたって枠が生成されているときに枠高さを増減する場合、枠組生成部１５は、指定された枠と同じ段にある枠の高さも併せて増減させる。また、枠組生成部１５は、変更された幅にあわせて寸法を変更して表示部６に表示させる。
【００３４】
また、モード検知部１６によって出力されたモードが下辺位置設定モードである場合、枠組生成部１５は、枠指定検知部１７によって、画面上に表示されている特定の枠が指定されたことを示す信号が特に出力されずに、増減指示情報検知部１８から増加指示信号が出力されると、増加指示信号が出力される都度、最下段にあるすべての枠を変更対象として、それらの枠の下辺の位置を現在の位置から所定長さずつ上昇させる。枠組生成部１５は、枠指定検知部１７によって、画面上に表示されている特定の枠が指定されたことを示す信号が出力され、増減指示情報検知部１８から増加指示信号が出力されたときには、増加指示信号が出力される都度、指定された枠の下辺の位置を現在の位置から所定長さずつ上昇させる。
【００３５】
この所定長さも、キーボードの「Ｃｔｒｌ」キーが押下されて増加指示信号が出力された場合は５０ｍｍであり、キーボードの「Ａｌｔ」キーが押下されて増加指示信号が出力された場合は５００ｍｍであり、「Ｃｔｒｌ」キーも「Ａｌｔ」キーも押下されずに増加指示信号が出力された場合は１００ｍｍである。同様に、増減指示情報検知部１８から減少指示信号が出力されたときも、枠組生成部１５は、減少指示信号が出力される都度、指定された枠の下辺の位置を所定長さずつ下降させる。なお、枠組生成部１５は、下辺の位置の寸法も寸法補助線を入れて表示部６に表示させる。勿論、この所定長さは、適当な値に設定してよい。
【００３６】
建具設定部１９は、テンプレートＤＢ１２から出力された各種ドアや窓等のテンプレートを表示部６に表示させる。そして、枠指定検知部１７によって特定の枠が指定されたことを示す信号を受信し、さらに、特定のドア又は窓のテンプレートが指定されると、建具設定部１９は、指定された枠につき、指定されたドア又は窓のテンプレートを、その枠のサイズに適合させて当てはめる。
【００３７】
以上のような構成である姿図作成装置１の動作について、図３〜図１５を参照して説明する。
【００３８】
図３は、枠組生成部１５の指示により表示部６に表示される姿図作成画面の初期画面である。画面左上には、枠組の基本情報を示す枠組情報表示領域３１が表示されている。
【００３９】
また、左側中央のモード切替えボタン表示領域３２には、５つの切替ボタンが表示されている。「連」ボタン３３は、枠が横方向に連なるように枠組を生成する連枠生成モードに設定するためのボタンである。「段」ボタン３４は、枠が縦方向に連なるように枠組を生成する段枠生成モードに設定するためのボタンである。「Ｗ」ボタン３５は、指定した枠の幅を変更する枠幅変更モードに設定するためのボタンである。「Ｈ」ボタン３６は、指定した枠の高さを変更する枠高さ変更モードに設定するボタンである。「ＦＬ」ボタン３７は、指定した枠の下辺の位置を設定する下辺位置設定モードにするためのボタンである。これらのボタンは、マウス４のホイール９が押下されるごとに、「連」ボタン３３、「段」ボタン３４，「Ｗ」ボタン３５、「Ｈ」ボタン３６、「ＦＬ」ボタン３７の順にアクティブになる。すなわち、モード検知部１６は、ホイール９が押下されたこと指示する信号をマウス４から受信する都度、上記５つのボタン３３〜３７を順にアクティブに切り換えていくと共に、連枠生成モード、段枠生成モード、枠幅変更モード、枠高さ変更モード、下辺位置設定モードの順に切り換えていく。
【００４０】
画面中央の姿図表示領域４０には、基本枠４１がデフォルト値の大きさで表示されている。この表示枠の幅は１０００ｍｍ、高さは２０００ｍｍ、下辺位置の高さは０ｍｍである。そして、この基本枠４１には寸法補助線と各寸法が表示されている。
【００４１】
枠組情報表示領域３１には、枠組生成部１５によって、姿図表示領域４０に表示されている枠組の基本情報が表示されている。基本枠４１の情報としては、「１連窓」の列に、「段窓数」が「１」段であること、「Ｗ寸法」（枠幅）がデフォルト値の「１０００」ｍｍであること、「ＦＬ寸法」（下辺位置）が「０」ｍｍであること、「１段Ｈ寸法」（１段目の高さ）が「２０００」ｍｍであることが、枠組生成部１５の指示により表示されている。なお、上述のように「連枠」と画面上の「連窓」とは同義であり、「段枠」と画面上の「段窓」とは同義である。
【００４２】
次に、枠が横方向に連続する連枠を作成する操作について、図４及び図５を参照して説明する。図４は、連枠を作成する処理のフローチャートを示し、図５は、連枠を作成するときの表示部６の画面を示している。
【００４３】
初期画面（図３参照）において、操作者がホイール９を押下すると、マウス４からホイール９が押下されたことを指示する信号がモード検知部１６に出力される。モード検知部１６は、マウス４によって出力された信号を検知し（Ｓ１０１）、モード切替えボタン表示領域３２の「連」ボタン３３をアクティブにすると共に、連枠生成モードに設定する（Ｓ１０２）。さらに、モード検知部１６は、枠組生成部１５に対し連枠生成モードに設定されたことを指示する信号を出力する。
【００４４】
続けて、操作者が必要な連枠数となるようにホイール９を回転させる。すると、マウス４は、ホイール９が１回転角度単位だけ回転される都度、ホイール９の回転を指示する信号を増減指示情報検知部１８に出力する。図５に示す画面例は、ホイール９を露出している部分が前方に移動するように、３回転角度単位だけ回転させた例を示している。増減指示情報検知部１８は、マウス４によって出力された信号を受信し、回転方向を区別してホイール９の回転を検知する（Ｓ１０３）。増減指示情報検知部１８は、ホイール９の回転を検知する都度、回転方向を区別して増減指示情報を枠組生成部１５に出力する。ここでは、増減指示情報検知部１８は、ホイール９が前方に回転角度単位、回転されたことを指示する信号を３回受信し、増減指示情報検知部１８は、増加させることを指示する増減指示情報を３回、枠組生成部１５に出力する。
【００４５】
枠組生成部１５は、増減指示情報検知部１８によって増減指示情報を受信する都度、基本枠４１と同じサイズの枠を横方向に１個ずつ増減させ、その結果、生成される枠組を姿図表示領域４０に表示させる（Ｓ１０４）。このとき、枠組生成部１５は、新たに生成した各枠に対しても寸法補助線と寸法を表示させる。ここでは、枠組生成部１５は、増減指示情報検知部１８によって増減指示情報を受信する都度、枠を矢印の横方向に３個増加させ、枠を合計４個生成し、表示部６に４連の連枠を表示させている。また、枠組生成部１５は、新たに生成した各枠に対して寸法補助線、及び基本枠４１と同じ寸法を表示させている。
【００４６】
さらに、枠組生成部１５は、枠組情報表示領域３１において、新たに生成した枠に対応する列を生成し、各枠の「Ｗ寸法」、「ＦＬ寸法」、「１段Ｈ寸法」等を表示させる（Ｓ１０５）。ここでは、枠組生成部１５は、枠組情報表示領域３１において、新たに生成した３個の枠に対応して、「２連窓」、「３連窓」、「４連窓」の列を生成し、各列の「Ｗ寸法」、「ＦＬ寸法」、「１段Ｈ寸法」等に各枠に対応した各サイズを表示させる。
【００４７】
次に、枠が縦方向に連続する段枠を作成する操作について、図５〜図７を参照して説明する。図６は、段枠を作成する処理のフローチャートを示している。図７は、図５に示す連枠から段枠を作成したときの表示部６の画面を、姿図表示領域４０付近を拡大して示している。
【００４８】
図５に示すように連枠が生成された状態から、操作者がホイール９を押下すると、マウス４からホイール９が押下されたことを指示する信号がモード検知部１６に出力される。モード検知部１６は、マウス４によって出力された信号を検知し（Ｓ２０１）、モード切替えボタン表示領域３２のアクティブ・ボタンを「連」ボタン３３から「段」ボタン３４に切り換えると共に、段枠生成モードに切り換える（Ｓ２０２）。さらに、モード検知部１６は、枠組生成部１５に対し、段枠生成モードに切り換えたことを指示する信号を出力する。
【００４９】
続けて操作者は、必要な段枠数となるようにホイール９を回転させる。すると、マウス４は、ホイール９が１回転角度単位だけ回転される都度、ホイール９の回転を指示する信号を増減指示情報検知部１８に出力する。図７に示す画面例は、ホイール９を露出している部分が前方に移動するように、３回転角度単位だけ回転させた例を示している。増減指示情報検知部１８は、マウス４によって出力された信号を受信し、回転方向を区別してホイール９の回転を検知する（Ｓ３０３）。増減指示情報検知部１８は、ホイール９の回転を検知する都度、回転方向を区別して増減指示情報を枠組生成部１５に出力する。ここでは、増減指示情報検知部１８は、ホイール９が前方に回転角度単位、回転されたことを指示する信号を３回受信し、増減指示情報検知部１８は、増加させることを指示する増減指示情報を３回、枠組生成部１５に出力する。
【００５０】
枠組生成部１５は、増減指示情報検知部１８によって増減指示情報を受信する都度、高さ５００ｍｍの枠を縦方向に１個ずつ増減させ、その結果、生成される枠組を姿図表示領域４０に表示させる（Ｓ２０４）。このとき、枠組生成部１５は、新たに生成した各枠に対しても寸法補助線と寸法を表示させる。ここでは、枠組生成部１５は、増減指示情報検知部１８によって増減指示情報を受信する都度、枠を矢印の縦方向に１段ずつ３段増加させ、枠を合計４段生成し、表示部６に４段の段枠を表示させている。また、枠組生成部１５は、新たに生成した各枠に対して寸法補助線とデフォルトの高さ寸法を表示させている。
【００５１】
さらに、枠組生成部１５は、枠組情報表示領域３１において、新たに生成した段枠に対応する行を生成し、各段枠の高さ寸法「Ｈ寸法」を表示させる（Ｓ２０５）。ここでは、枠組生成部１５は、枠組情報表示領域３１において、新たに生成した３段の枠に対応して、「２段Ｈ寸法」、「３段Ｈ寸法」、「４段Ｈ寸法」の行を生成し、各列の高さ寸法を表示させる。
【００５２】
次に、特定の枠の幅を変更する操作について、図７〜図９を参照して説明する。図８は、枠幅を変更する処理を示すフローチャートである。図９は、図７に示す枠組の中から特定の枠を指定して、枠幅を変更するときの表示部６の画面を示している。
【００５３】
図７に示すように枠組が生成された状態から、操作者がホイール９を押下すると、マウス４からホイール９が押下されたことを指示する信号がモード検知部１６に出力される。モード検知部１６は、マウス４によって出力された信号を検知し（Ｓ３０１）、モード切替えボタン表示領域３２のアクティブ・ボタンを「段」ボタン３４から「Ｗ」ボタン３５に切り換えると共に、枠幅変更モードに切り換える（Ｓ３０２）。そして、モード検知部１６は、枠組生成部１５に対し、枠幅変更モードに切り換えたことを指示する信号を出力する。
【００５４】
さらに、操作者は、マウス４を操作して、幅を変更したい枠にカーソルを位置付け、左マウスボタンをクリックする。すると、マウス４は、左マウスボタンがクリックされたことを指示する信号を枠指定検知部１７に出力する。枠指定検知部１７は、マウス４によって出された信号を受けると、指定された枠を検知し、指定された枠を指示する信号を枠組生成部１５に出力する（Ｓ３０３）。また、枠指定検知部１７は、指定された枠を背景色とは異なる色にする。図９に示す画面例は、１段目の中２つの枠が指定され、それらの枠が背景色とは異なる色に変色されている。
【００５５】
続けて操作者は、適切な枠幅となるようにホイール９を回転させる。すると、マウス４は、ホイール９が１回転角度単位だけ回転される都度、ホイール９の回転を指示する信号を増減指示情報検知部１８に出力する。増減指示情報検知部１８は、マウス４によって出力された信号を受信し、回転方向を区別してホイール９の回転を検知する（Ｓ３０４）。増減指示情報検知部１８は、ホイール９の回転を検知する都度、回転方向を区別して増減指示情報を枠組生成部１５に出力する。
【００５６】
そして、枠組生成部１５は、増減指示情報検知部１８によって増減指示情報を受信する都度、枠の幅を所定長さずつ増減させ、その結果、生成される枠組を姿図表示領域４０に表示させる（Ｓ３０５）。それと共に、枠組生成部１５は、枠幅の変更に応じて、枠幅の寸法も変更して表示部６に表示させる。なお、ホイール９の露出部分が前方に移動されて回転されたときは、枠組生成部１５は、枠の幅を増加させ、露出部分が後方に移動されて回転されたときは、枠組生成部１５は、枠の幅を減少させる。なお、枠組生成部１５は、指定された枠と同じ列にある枠も同様に幅を変更する。
【００５７】
ここで、上述のように、所定長さは、キーボードの「Ｃｔｒｌ」キーが押下されてホイール９が回転されたか、「Ａｌｔ」キーが押下されてホイール９が回転されたか、いずれのキーも押下されずにホイール９が回転されたかによって異なる。枠幅は、「Ｃｔｒｌ」キーが押下されていたときは５０ｍｍずつ増減され、「Ａｌｔ」キーが押下されていたときは５００ｍｍであり、いずれのキーも押下されていなかったときは１００ｍｍずつ増減される。
【００５８】
また、枠組生成部１５は、枠組情報表示領域３１において、変更された枠の幅の寸法「Ｗ寸法」を変更して表示させる（Ｓ３０６）。
【００５９】
なお、上記Ｓ３０３において、操作者はマウス４によって特に枠を指定せず、枠指定検知部１７による枠指定の検知がなかった場合、Ｓ３０５において、枠組生成部１５は、すべての枠の幅を増減させる。
【００６０】
次に、特定の枠の高さを変更する操作について、図９，図１０を参照して説明する。図９は、枠組の中から特定の枠を指定して、枠高さを変更するときの表示部６の画面を示している。図１０は、枠の高さを変更する処理を示すフローチャートである。
【００６１】
操作者がホイール９を押下すると、マウス４からホイール９が押下されたことを指示する信号がモード検知部１６に出力される。モード検知部１６は、マウス４によって出力された信号を検知し（Ｓ４０１）、モード切替えボタン表示領域３２のアクティブ・ボタンを「Ｗ」ボタン３５から「Ｈ」ボタン３６に切り換えると共に、枠高さ変更モードに切り換える（Ｓ４０２）。そして、モード検知部１６は、枠組生成部１５に対し、枠高さ変更モードに切り換えたことを指示する信号を出力する。
【００６２】
さらに、操作者は、マウス４を操作して、高さを変更したい枠にカーソルを位置付け、左マウスボタンをクリックする。すると、マウス４は、左マウスボタンがクリックされたことを指示する信号を枠指定検知部１７に出力する。枠指定検知部１７は、マウス４によって出された信号を受けると、指定された枠を検知し、指定された枠を指示する信号を枠組生成部１５に出力する（Ｓ４０３）。また、枠指定検知部１７は、指定された枠を背景色とは異なる色にする。図９に示す画面例では、１段目の中２つの枠が指定され、背景色とは異なる色に変色されている。
【００６３】
続けて操作者は、適切な枠高さとなるようにホイール９を回転させる。すると、マウス４は、ホイール９が１回転角度単位だけ回転される都度、ホイール９の回転を指示する信号を増減指示情報検知部１８に出力する。増減指示情報検知部１８は、マウス４によって出力された信号を受信し、回転方向を区別してホイール９の回転を検知する（Ｓ４０４）。増減指示情報検知部１８は、ホイール９の回転を検知する都度、回転方向を区別して増減指示情報を枠組生成部１５に出力する。
【００６４】
そして、枠組生成部１５は、増減指示情報検知部１８によって増減指示情報を受信する都度、枠の高さを所定長さずつ増減させ、その結果、生成される枠組を姿図表示領域４０に表示させる（Ｓ４０５）。それと共に、枠組生成部１５は、枠高さの変更に応じて、枠高さの寸法も変更して表示部６に表示させる。なお、ホイール９の露出部分が前方に移動されて回転されたときは、枠組生成部１５は、枠の高さを増加させ、露出部分が後方に移動されて回転されたときは、枠組生成部１５は、枠の高さを減少させる。なお、枠組生成部１５は、指定された枠と同じ段にある枠も同様に枠高さを変更する。
【００６５】
上述のように、所定長さは、キーボードの「Ｃｔｒｌ」キーが押下されてホイール９が回転されたか、「Ａｌｔ」キーが押下されてホイール９が回転されたか、いずれのキーも押下されずにホイール９が回転されたかによって異なり、その長さは、枠幅変更モードの場合と同様である。
【００６６】
また、枠組生成部１５は、枠組情報表示領域３１において、変更された枠高さの寸法「Ｈ寸法」を変更して表示させる（Ｓ４０６）。
【００６７】
なお、上記Ｓ４０３において、操作者はマウス４によって特に枠を指定せず、枠指定検知部１７による枠指定の検知がなかった場合、Ｓ４０５において、枠組生成部１５は、すべての枠の高さを増減させる。
【００６８】
次に、特定の枠の下辺位置を設定する操作について、図１１，図１２を参照して説明する。図１１は、枠の下辺の位置を設定する処理を示すフローチャートである。図１２は、枠組の中から特定の枠を指定して、下辺位置を設定するときの表示部６の画面を示している。
【００６９】
操作者がホイール９を押下すると、マウス４からホイール９が押下されたことを指示する信号がモード検知部１６に出力される。モード検知部１６は、マウス４によって出力された信号を検知し（Ｓ５０１）、モード切替えボタン表示領域３２のアクティブ・ボタンを「Ｈ」ボタン３６から「ＦＬ」ボタン３７に切り換えると共に、下辺位置設定モードに切り換える（Ｓ５０２）。そして、モード検知部１６は、枠組生成部１５に対し、下辺位置設定モードに切り換えたことを指示する信号を出力する。
【００７０】
さらに、操作者は、マウス４を操作して、下辺位置を設定したい枠にカーソルを位置付け、左マウスボタンをクリックする。すると、マウス４は、左マウスボタンがクリックされたことを指示する信号を枠指定検知部１７に出力する。枠指定検知部１７は、マウス４によって出された信号を受けると、指定された枠を検知し、指定された枠を指示する信号を枠組生成部１５に出力する（Ｓ５０３）。また、枠指定検知部１７は、指定された枠を背景色とは異なる色にする。図１２に示す画面例では、１段目の左右両側の２つの枠が指定され、背景色とは異なる色に変色されている。
【００７１】
続けて操作者は、適切な下辺位置となるようにホイール９を回転させる。すると、マウス４は、ホイール９が１回転角度単位だけ回転される都度、ホイール９の回転を指示する信号を増減指示情報検知部１８に出力する。増減指示情報検知部１８は、マウス４によって出力された信号を受信し、回転方向を区別してホイール９の回転を検知する（Ｓ５０４）。増減指示情報検知部１８は、ホイール９の回転を検知する都度、回転方向を区別して増減指示情報を枠組生成部１５に出力する。
【００７２】
そして、枠組生成部１５は、増減指示情報検知部１８によって増減指示情報を受信する都度、下辺位置を所定長さずつ上下させ、その結果、生成される枠組を姿図表示領域４０に表示させる（Ｓ５０５）。それと共に、枠組生成部１５は、上下移動された下辺位置に応じて、下辺位置の高さの寸法を寸法補助線と共に表示部６に表示させる。なお、ホイール９の露出部分が前方に移動されて回転されたときは、枠組生成部１５は、下辺位置を上昇させ、露出部分が後方に移動されて回転されたときは、枠組生成部１５は、下辺位置を下降させる。なお、この下辺位置は、設計上、床面からの高さに対応する。
【００７３】
上述のように、所定長さは、キーボードの「Ｃｔｒｌ」キーが押下されてホイール９が回転されたか、「Ａｌｔ」キーが押下されてホイール９が回転されたか、いずれのキーも押下されずにホイール９が回転されたかによって異なり、その長さは、枠幅変更モードの場合と同様である。
【００７４】
なお、上記Ｓ５０３において、操作者はマウス４によって特に枠を指定せず、枠指定検知部１７による枠指定の検知がなかった場合、Ｓ５０５において、枠組生成部１５は、最下段にあるすべての枠の下辺位置を上下させる。
【００７５】
以上のようにして枠組を生成した後は、図１３に示すように、各枠に窓又はドアを当てはめる。図１３は、各枠に窓又はドアが当てはめられた状態を示す画面例である。
【００７６】
図１３に示すように、画面右側のテンプレート表示領域４２には、テンプレートＤＢ１２から読み出された各種ドアや窓のテンプレートが建具設定部１９の指示によって表示されている。枠を特定して、ドア又は窓を当てはめるためには、先ず、マウス４を操作してドアを当てはめたい枠にカーソルを位置付けて、マウス４の左マウスボタンをクリックする。すると、マウス４から左マウスボタンがクリックされたことを指示する信号が、枠指定検知部１７に出力される。枠指定検知部１７は、その信号を受信すると、指定された枠を検知して、建具設定部１９に出力する。さらに操作者は、テンプレート表示領域４２に表示された各種ドア又は窓のテンプレートの中から適切なドア又は窓を選択し、マウス４を操作して、そのテンプレートにカーソルを位置付け、マウス４の左マウスボタンをクリックする。すると、マウス４から左マウスボタンがクリックされたことを指示する信号が、建具設定部１９に出力される。建具設定部１９は、指定された枠に、指定されたテンプレートのドア又はドアを当てはめて表示させる。なお、マウス４の操作により、テンプレート表示領域４２に表示されたテンプレートをドラッグして適切な枠に移動させることにより、枠にドアや窓を当てはめるようにしてもよい。
【００７７】
図１３に示す画面例では、１段目の中２つの枠に対し、それぞれフロアヒンジドアが当てはめられている。また、その他の枠に対しては、建具設定部１９によって窓が当てはめられている。
【００７８】
ここで、テンプレートＤＢ１２に格納されているドアのテンプレートとしては、開きドアや引き戸など各種ドアのテンプレートを格納させることができる。また、テンプレートＤＢ１２には、建具として、ドアや窓の他、例えば、シャッター等様々な建具のテンプレートを格納させることもできる。
【００７９】
また、本姿図作成装置１では、断面図を作成することもできる。図１４は、断面図を作成する際に、どの断面をとるかについて指示した状態を示す図であり、図１５は、表示画面に断面図を表示させた画面例である。図１４に示すように、マウス４を操作して作成したい断面図の位置を指定し、断面指定ライン４３を引くと、建具設定部１９は、指定された断面指定ライン４３の位置の断面における各構成部品の寸法を求め、図１５に示すように、断面図を生成し表示する。
【００８０】
本発明の実施形態に係る姿図作成プログラムについて説明する。図１６は、姿図作成プログラムが記録された記録媒体の構成図である。記録媒体６００の記憶領域６１０には、実施形態に係る姿図作成プログラム（以下、「本プログラム」という。）が記録されており、その構成要素として、枠組生成モジュール６２１、モード検知モジュール６２２、枠指定検知モジュール６２３、増減指示情報検知モジュール６２４、建具設定モジュール６２５を備える。これらの各モジュールを動作させることによって実現する機能は、上述の姿図作成装置１における枠組生成部１５、モード検知部１６、枠指定検知部１７、増減指示情報検知部１８、建具設定部１９におけるそれそれの機能と同様である。また、記憶領域６１０に記憶されたテンプレートデータ６２７は、姿図作成装置１におけるテンプレートＤＢ１２に格納されたデータと同じである。
【００８１】
以下、本実施形態にかかる姿図作成装置１の作用及び効果について説明する。
【００８２】
モード検知部１６は、マウス４のホイール９が押下される都度、マウス４によって出力される信号を受け、連枠生成モード、段枠生成モード、枠幅変更モード、枠高さ変更モード、下辺位置設定モードに切り換えて設定する。すなわち、各種モードを設定するための信号を検知する手段がモード検知部１６に共通化されている。したがって、ホイール９の押下操作によって、上記各種モードに設定することができるため、操作者は、指一本で簡便にモードを設定することができ、操作性が極めて良い。
【００８３】
さらに、増減指示情報検知部１８は、マウス４のホイール９の回転を回転方向の違いを区別して検知する。そして、増減指示情報検知部１８は、連枠生成モード、段枠生成モード、枠幅変更モード、枠高さ変更モード、下辺位置設定モードのいずれのモードにおいても、枠組生成部１５に対し、枠数または寸法の増減を指示する。すなわち、増減指示情報検知部１８は、連枠生成モードにおいては横方向への枠の増減を指示し、段枠生成モードにおいては縦方向への枠の増減を指示し、枠幅変更モードにおいては枠幅の寸法の増減を指示し、枠高さ変更モードにおいては枠高さの寸法の増減を指示し、さらに、下辺位置設定モードにおいては枠の下辺位置の上下を指示する。このように、各種モードにおいて、枠数や寸法の増減を指示する手段が、増減指示情報検知部１８に共通化されている。そのため、ホイール９を回転させることで、各種モードにおいて、枠数や寸法等、枠組の数値情報を増減させることができる。したがって、操作者は、指一本で、各種モードにおける枠数や寸法を簡便に増減させることができ、操作性が極めて良い。
【００８４】
このように、マウス４のホイール９を指一本で、モードの設定も、枠数や寸法の増減も簡便に行うことができるのである。このような作用及び効果は、姿図作成プログラムや姿図作成装置を制御する方法においても、同様に発揮される。
【００８５】
なお、本発明は、上述した実施形態に限定されるものではない。例えば、枠組生成部１５によって生成された枠組の中で、枠指定検知部１７によって特定の枠が指定されたときに、指定された枠を新たな基本枠とし、枠組生成部１５によって、その基本枠を横方向または縦方向に増減させて枠組を生成させるようにしてもよい。このとき、上述の実施形態と同様に、ホイール９の回転操作によって行うことができるようにするとよい。また、指定された基本枠を横方向または縦方向に増減させ、基本枠と隣接する枠については、なんら増減させないようにしてもよい。これにより、四方へ十字型に延びる枠組や逆Ｔの字状等の枠組を作成することもできる。また、基本枠は、四角形に限られず、その他の多角形や円形状など形状は限定されない。変更する枠のサイズも、幅や高さに限られず、相似形状を維持させた倍率や、枠が円形状である場合の径であってもよい。
【００８６】
また、モード切替えボタン表示領域３２においては、図３に示す初期画面において、予め「連」ボタン３３がアクティブな状態となるように設定しておいてもよい。そして、マウス４のホイール９が押下されるごとに切り換えられるモードを、モード検知部１６に検知させておく。そのうえで、マウス４のホイール９が回転操作され、増減指示情報検知部１８が増減指示情報を枠組生成部１５に対し出力したときに、枠組生成部１５は、モード検知部１６によって検知されている現在のモードを読み出すようにしてもよい。このとき、枠組生成部１５は、増減指示情報検知部１８によって出力された増減指示情報と、モード検知部１６から読み出した現在のモードに基づいて、枠組を生成し、或いは、枠の幅、高さ、下辺の位置を変更することになる。
【００８７】
また、モードの切替えは、モード切替えボタン表示領域３２における各ボタン３３〜３７のうち所望のボタンにマウス４を操作してカーソルを位置させ、左側のマウスボタン７又は右側のマウスボタン８をクリックすることにより、モード検知部１６に検知させて行うようにしてもよい。また、枠組生成部１５による枠の幅、高さ、下辺位置の変更は、枠組情報表示領域３１において該当するセル内に、キーボード３を用いて数値を入力することにより行わせるようにすることもできる。
【００８８】
また、上述した実施形態では、姿図作成装置１は、パーソナル・コンピュータ単体機で構成されているが、これに限らず、姿図作成装置は、複数のコンピュータで構成されるシステムであってもよい。例えば、サーバ／クライアント・システムにおいて、マルチタスク機能を備えたＯＳを用い、サーバに姿図作成プログラムを格納させ、クライアントで姿図作成プログラムをダウンロードして実行し、作成した姿図データをサーバに保存するようにしてもよい。この場合、サーバ／クライアント間の通信は、ＬＡＮを介してもインターネット等の通信回線網を介してもよい。
【図面の簡単な説明】
【００８９】
【図１】本発明に係る姿図作成装置の一実施形態を示すハードウェア構成図である。
【図２】図１に示す姿図作成装置の機能構成図である。
【図３】図２に示す姿図作成装置の表示部に表示される姿図作成画面の初期画面である。
【図４】連枠を作成する処理のフローチャートである。
【図５】連枠を作成するときの表示部の画面例である。
【図６】段枠を作成する処理のフローチャートである。
【図７】段枠を作成するときの表示部の画面例である。
【図８】枠幅を変更する処理のフローチャートである。
【図９】枠幅を変更するときの表示部の画面例である。
【図１０】枠の高さを変更する処理のフローチャートである。
【図１１】枠の下辺位置を設定する処理のフローチャートである。
【図１２】下辺位置を設定するときの表示部の画面例である。
【図１３】枠組にドア及び窓が設定されたときの表示部の画面例である。
【図１４】断面図を作成する位置を指示した状態での表示部の画面例である。
【図１５】断面図を表示させた表示部の画面例である。
【図１６】姿図作成プログラムが記録された記録媒体の構成図である。
【符号の説明】
【００９０】
１…姿図作成装置、１５…枠組生成部、１６…モード検知部、１７…枠指定検知部、１８…増減指示情報検知部。
【図１】
2005202735.tif 000003
【図２】
2005202735.tif 000004
【図３】
2005202735.tif 000005
【図４】
2005202735.tif 000006
【図５】
2005202735.tif 000007
【図６】
2005202735.tif 000008
【図７】
2005202735.tif 000009
【図８】
2005202735.tif 000010
【図９】
2005202735.tif 000011
【図１０】
2005202735.tif 000012
【図１１】
2005202735.tif 000013
【図１２】
2005202735.tif 000014
【図１３】
2005202735.tif 000015
【図１４】
2005202735.tif 000016
【図１５】
2005202735.tif 000017
【図１６】
2005202735.tif 000018